(57)【要約】【課題】発熱面全体が均一に発熱し、好ましい発熱、保温効果を達成するとともに、局部的に高熱になり被覆材を燃焼させることのない、発熱、保温体を提供する。【解決手段】所定の抵抗値を具える導電性の軟質材によってなる第１導体と、抵抗値が該第１導体より低く、導電性の材料によってなり、加熱、加圧して該第１導体と一体に形成するか、もしくはその他接続加工方式によって該第１導体上に設ける複数の第２導体と、該第２導体に接続する電源線とを含んでなり、該第２導体を直列、もしくは並列して構成する。【選択図】図１
0003119584.tif 000002
【実用新案登録請求の範囲】
【請求項１】
所定の抵抗値を具える導電性の軟質材によってなる第１導体と、
抵抗値が該第１導体より低く、導電性の材料によってなり、加熱、加圧して該第１導体と一体に形成するか、もしくはその他接続加工方式によって該第１導体上に設ける複数の第２導体と、
該第２導体に接続する電源線とを含んでなり、
該第２導体を直列、もしくは並列することを特徴とする発熱、保温体。
【請求項２】
所定の抵抗値を具える導電性の軟質材によってなる第１導体と、
抵抗値が該第１導体より数倍低い導電性の材料によってなり、加熱、加圧して該第１導体と一体に形成するか、もしくはその他接続加工方式によって該第１導体上に設ける複数の第２導体と、
該第２導体に接続する電源線とを含んでなり、
該第１導体と該第２導体を被覆する絶縁体とを含んでなり、
該第２導体を直列、もしくは並列することを特徴とする発熱、保温体。
【請求項３】
前記第１導体の上下表面に、該第２導体との接続を堅牢にするための粘着層を設けることを特徴とする請求項１、もしくは請求項２に記載の発熱、保温体。
【請求項４】
前記第２導体が、該第１導体上に縫合されるか、もしくは該第２導体の下面に棘状の突起を形成して該第１導体に直接噛み合わせ、該第１導体に連結することを特徴とする請求項１、もしくは請求項２に記載の発熱、保温体。
【請求項５】
前記第１導体を必要とする形状にするための金型内に置き、更に該第２導体を置いて加熱、加圧成型し、該第2導体と該第１導体とを一体に形成することを特徴とする請求項１、もしくは請求項２に記載の発熱、保温体。
【請求項６】
前記第２導体がニット状に編んだものか、テープ状の物体か、線状物体か、もしくは網状の物体であることを特徴とする請求項１、もしくは請求項２に記載の発熱、保温体。
【考案の詳細な説明】
【技術分野】
【０００１】
この考案は発熱作用と、発生した熱を保温する作用とを有し、シート状に形成される発熱、保温体に関する。
【背景技術】
【０００２】
従来の発熱装置は、加熱管、またはニクロム線などを加熱のユニットとする。よって、点、もしくは線状の発熱しか達成できない。仮に、これらを所定の平面に敷設して平面を全面的に加熱、保温するのであれば、長時間の熱伝導を必要とし、しかも加熱が不均一になる。また、曲げることができないため、使用上制限を受ける。
【０００３】
台湾実用新案登録Ｍ２５７５９１号には、導電布、またはその他導電材料によってなり、発熱、本作用を有する発熱シートが開示される。該考案は、電源線をスポット式（例えば、リベット、ハンダ付けなど）で発熱導電層に直接接続するため、電流が抵抗値の高い導体に直接流れ、該接続個所において、他の個所との温度の差が大きくなり、高熱を発する。よって、被覆材が容易に燃焼し、使用者に対する危害が発生する恐れがある。
【０００４】
したがって、従来の発熱装置は理想的な状態には未だに至らず、改善の余地が残されている。
【非特許文献１】台湾実用新案登録Ｍ２５７５９１号公報
【考案の開示】
【考案が解決しようとする課題】
【０００５】
この考案は、発熱面全体が均一に発熱し、好ましい発熱、保温効果を達成するとともに、局部的に高熱になり被覆材を燃焼させることのない、発熱、保温体を提供することを課題とする。
【課題を解決するための手段】
【０００６】
そこで、本考案者は従来の技術に見られる欠点に鑑み鋭意研究を重ねた結果、所定の抵抗値を具える導電性の軟質材によってなる第１導体と、抵抗値が該第１導体より低く、導電性の材料によってなり、加熱、加圧して該第１導体と一体に形成するか、もしくはその他接続加工方式によって該第１導体上に設ける複数の第２導体と、該第２導体に接続する電源線とを含んでなり、該第２導体を直列、もしくは並列して構成する発熱、保温体によって課題を解決できる点に着眼し、かかる知見に基づいて本考案を完成させた。
【０００７】
以下、この考案について具体的に説明する。
請求項１に記載する発熱、保温体は、所定の抵抗値を具える導電性の軟質材によってなる第１導体と、抵抗値が該第１導体より低く、導電性の材料によってなり、加熱、加圧して該第１導体と一体に形成するか、もしくはその他接続加工方式によって該第１導体上に設ける複数の第２導体と、該第２導体に接続する電源線とを含んでなり、該第２導体を直列、もしくは並列する。
【０００８】
請求項２に記載する発熱、保温体は、所定の抵抗値を具える導電性の軟質材によってなる第１導体と、抵抗値が該第１導体より数倍低い導電性の材料によってなり、加熱、加圧して該第１導体と一体に形成するか、もしくはその他接続加工方式によって該第１導体上に設ける複数の第２導体と、該第２導体に接続する電源線とを含んでなり、該第１導体と該第２導体を被覆する絶縁体とを含んでなり、該第２導体を直列、もしくは並列する。
【０００９】
請求項３に記載する発熱、保温体は、請求項１、もしくは請求項２における第１導体の上下表面に、該第２導体との接続を堅牢にするための粘着層を設ける。
【００１０】
請求項４に記載する発熱、保温体は、請求項１、もしくは請求項２における第２導体が、該第１導体上に縫合されるか、もしくは該第２導体の下面に棘状の突起を形成して該第１導体に直接噛み合わせ、該第１導体に連結する。
【００１１】
請求項５に記載する発熱、保温体は、請求項１、もしくは請求項２における第１導体を必要とする形状にするための金型内に置き、更に該第２導体を置いて加熱、加圧成型し、該第２導体と該第１導体とを一体に形成する。
【００１２】
請求項６に記載する発熱、保温体は、請求項１、もしくは請求項２における第２導体がニット状に編んだものか、テープ状の物体か、線状物体か、もしくは網状の物体である。
【考案の効果】
【００１３】
この考案による発熱、保温体は、発熱面全体が均一に発熱し、好ましい発熱、保温効果を達成するとともに、局部的に高熱になり被覆材を燃焼させることがなく、短絡、漏電を防ぐことができ、高い安全性が得られるという効果を有する。
【考案を実施するための最良の形態】
【００１４】
この考案は発熱、保温作用を有し、対象物に加熱、保温を行う発熱、保温体を提供するものであって、所定の抵抗値を具える導電性の軟質材によってなる第１導体と、抵抗値が該第１導体より低く、導電性の材料によってなり、加熱、加圧して該第１導体と一体に形成するか、もしくはその他接続加工方式によって該第１導体上に設ける複数の第２導体と、該第２導体に接続する電源線とを含んでなり、該第２導体を直列、もしくは並列して構成し、発熱面全体が均一に発熱して、好ましい加熱、保温効果を得るという目的を実現した。
係る構成の発熱、保温体について、その構造と特徴を詳述するために具体的な実施例を挙げ、以下に説明する。
【実施例】
【００１５】
図１、２に開示するように、この考案による発熱、保温体は、導電、発熱作用、及び高抵抗値を具える第１導体１０と、導電、発熱作用、及び低抵抗値を具え、第１導体１０上に設ける複数の第２導体２０と、電流を導入する電源線３０と、これら部材を被覆する絶縁体４０とによってなる。
【００１６】
以上の部材によってなる発熱、保温体は、第１導電体１０と電源線３０が第２導電体２０を介して接続し、接触面積が広くなる。よって、通電すると、第２導体２０が低抵抗値を有するため、第１導電体１０と第２導電体２０のいずれもが発熱するが、但し電流が分散して、従来の技術に見られるような狭い範囲で接触することによって高熱が発生する現象を防ぐことができる。
【００１７】
第１導体１０は、高抵抗値を有する導電性の物資を材料とする。また、第１導体１０は軟質でもよく、硬質であってもよい。例えば、ゴムに金属粉、もしくはカーボン粉を含ませた導電性の物質をシート状、または短冊状（平面を形成する如何なる幾何形状であってもよい）にしてもよい。軟質の材料をシート状、または布状に形成する場合は、可撓性を具えるため、如何なる物件にたいしても密接することができる。また、材料内の抵抗値を調製し、通電させることによって全体的に発熱させる。
【００１８】
第２導体２０は抵抗値を第１導体１０に比して数倍低くする。好ましくは１Ω以下とする。第1導体１０と同様に導電性の物質を材料とし、シート状、または短冊状にする。また、第２導体２０は加熱、加圧して、第１導体１０と一体に成型する（第１導体１０の原料を用意し、加圧してシート状、またはその他形状にし、さらに所要の形状を形成する金型に入れて、第１導体１０に複数の第２導体２０を投入し、加熱、加圧して第２導体２０を第１導体１０に埋め込む）か、またはその他の接続加工方式（所要の形状の金型に投入してブロック状に形成し、さらにシート状にカットし、第１導体１０上に第２導体２０を乗せて縫合、噛み合わせなど方法で接続して第１導体１０上に第２導体２０を設ける）で、第２導体２０を第１導体１０上に貼り付けるように設ける。また、第２導体２０は軟質でもよく、硬質であってもよい。軟質の材料をシート状、または布状に形成する場合は、可撓性を具えるため、第１導体１０とともに、如何なる物件にたいしても密接することができる。
【００１９】
電源線３０は第２導体２０に接続して電源を導入するために用いる。
【００２０】
絶縁体４０は、上下２枚用い、非導電性の材質によってなる。また、絶縁体４０は軟質であっても、硬質であってもよく、第１導体１０、第２導体２０と組み合わせ、これらを被覆して、加熱される物件が第１導体１０、第２導体２０に直接接触して短絡、漏電が発生することのないようにする。
【００２１】
また、第１導体１０の上下面には粘着性物質層５０を設けて、それぞれの部材の組み合わせと、第２導体２０との接続を堅牢にする。
【００２２】
この考案による加熱、保温体を使用する場合は、第２導体２０が低抵抗値を有し、電源線３０を介して通電させると、第１導体１０と広い接触面性を有することから電流が分散し、第１導体、第２導体がいずれも発熱し、狭い範囲における接触によって高温が発生することを防ぐことができる。発生した熱は、対象物の保温、または加熱に供する。
【００２３】
図３ａに開示するように、第２導体２０は第１導体１０に縫合してもよい。
【００２４】
図３ｂ、ｃに開示するように、第２導体２０は必要に応じて複数枚設け、電源線３０ａ、３０ｂを利用して直列するか、並列する。通電すると、電流が効率よく分散して、第１導体１０、第２導体２０のいずれもが発熱し、狭い範囲における接触によって高温が発生することを防ぐことができる。
【００２５】
図４ａに開示する第２導体２０ａはニットのように編んだものである。図４ｂに開示する第２導体２０ｂはテープ状か、線状の物体である。また、図４ｃに開示する第２導体２０ｃは下面に棘状の突起２１ｃを具え、第１導体１０に直接噛み合わさって連結することができる。さらに、図４ｄに開示する第２導体２０ｄは網状に形成する。
【００２６】
図５に開示するように、この考案による保温、発熱体を実際に応用する場合は、第１導体１０、第２導体２０を衣服６０の生地の層の間に埋設しても良い。この場合、第１導体１０、第２導体２０によって発生する熱によって、衣服６０が所定の温度を保持できる。よって、冬の気温が低い場合、身体の保温を達成することができる。
【００２７】
また、図６に開示するように、第１導体１０、第２導体２０をコースター７０に埋設してもよい。この場合、通電させるとコースター７０に熱が発生し、カップ８０をコースター７０上に置くと、コースター７０に発生した熱によってカップ８０内の飲料に対する保温の効果が得られる。
【００２８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２９】
【図１】この考案による発熱、保温体の構造を示した説明図である。
【図２】図１に開示する発熱、保温体の分解図である。
【図３ａ】この考案における第１導体と第２導体との組み合わせの形態を示した説明図である。
【図３ｂ】この考案における第１導体と第２導体との組み合わせの形態を示した他の説明図である。
【図３ｃ】この考案における第１導体と第２導体との組み合わせの形態を示したその他説明図である。
【図４ａ】この考案における第２導体を示した平面図である。
【図４ｂ】この考案における第２導体を示した平面図である。
【図４ｃ】この考案における第２導体を示した平面図である。
【図４ｄ】この考案における第２導体を示した平面図である。
【図５】この考案の実施態様を示した説明図である。
【図６】この考案の実施態様を示したその他説明図である。
【符号の説明】
【００３０】
１０                      第１導体
２０、２０ｂ、２０ｃ  、２０ｄ          第２導体
２１                      突起
３０ａ、ｂ           電源線
４０                      絶縁体
５０                      粘着性物質層
６０                      衣服
７０                      コースター
８０                    カップ
【図１】
0003119584.tif 000003
【図２】
0003119584.tif 000004
【図３ａ】
0003119584.tif 000005
【図３ｂ】
0003119584.tif 000006
【図３ｃ】
0003119584.tif 000007
【図４ａ】
0003119584.tif 000008
【図４ｂ】
0003119584.tif 000009
【図４ｃ】
0003119584.tif 000010
【図４ｄ】
0003119584.tif 000011
【図５】
0003119584.tif 000012
【図６】
0003119584.tif 000013